(57)【要約】【課題】集水部材の集水空間に固形物が侵入して堆積するのを抑制することができる排水構造、及び、該排水構造を備えるベンチを提供することを課題とする。【解決手段】地面の水が流入して収集される集水空間を形成すると共に該集水空間への水の流入を可能にする流入部を備える集水部材と、地面に形成されて集水部材を収容する収容凹部と、集水部材から離れた位置へ向けて集水空間の水を流通させる流路を形成するべく地中に埋設される流路形成部材と、複数の粒状物を用いて形成されて水が透過するように構成された透水部材とを備えており、集水部材は、収容凹部の内側に配置された状態で、流入部が収容凹部の内側に位置するように構成されており、透水部材は、収容凹部の内面と集水部材の流入部との間に配置される。【選択図】図３
2019094638.tif 000002
【特許請求の範囲】
【請求項１】
地面の水が流入して収集される集水空間を形成すると共に該集水空間への水の流入を可能にする流入部を備える集水部材と、地面に形成されて集水部材を収容する収容凹部と、集水部材から離れた位置へ向けて集水空間の水を流通させる流路を形成するべく地中に埋設される流路形成部材と、複数の粒状物を用いて形成されて水が透過するように構成された透水部材とを備えており、
集水部材は、収容凹部の内側に配置された状態で、流入部が収容凹部の内側に位置するように構成されており、
透水部材は、収容凹部の内面と集水部材の流入部との間に配置される排水構造。
【請求項２】
集水部材は、収容凹部の内側に配置された状態で地面よりも上へ突出する上方突出部を備えており、
該上方突出部は、集水空間を上方へ向けて開放する上方開口部を備える請求項１に記載の排水構造。
【請求項３】
複数の粒状物を用いて形成されて水が透過するように構成された透水層を地中に形成する透水層形成部材を更に備えており、
流路形成部材は、表面から内側へ水が侵入するように構成されており、
透水層形成部材の内側に流路形成部材の少なくとも一部が配置される請求項１又は２に記載の排水構造。
【請求項４】
透水層形成部材は、収容凹部の内側に露出する凹部内配置部を備えており、
該凹部内配置部は、透水部材の下方の位置で上下方向において透水部材と重なるように配置される請求項３に記載の排水構造。
【請求項５】
請求項１乃至４の何れか一項に記載の排水構造を備えるベンチであって、
収容凹部から上方に離間した位置で収容凹部を覆うように配置される座部材と、該座部材を下方から支える脚部材とを備えるベンチ。
【請求項６】
地面に形成されると共に地面の水が流入して収集される集水空間を形成する集水凹部と、該集水凹部から離れた位置へ向けて集水空間の水を流通させる流路を形成するべく地中に埋設される流路形成部材と、複数の粒状物を用いて形成されて水が透過するように構成された透水部材とを備えており、
流路形成部材は、集水空間に配置されて集水空間の水を流路形成部材内に導入する収集水導入部を備えており、
透水部材は、収集水導入部よりも上方の位置で集水凹部の内側を埋めるように配置される排水構造。
【発明の詳細な説明】
【技術分野】
【０００１】
本発明は、地面の水を排水する排水構造、及び、該排水構造を備えるベンチに関する。
【背景技術】
【０００２】
従来から、雨水と接する地面には、雨水を集めて所定方向へ排出する排水手段が設置される場合がある。斯かる排水手段としては、雨水の集まる位置に設置される集水桝と、該集水桝に連結されて集水桝から所定方向へ雨水を流通させる配管とを備えるものが知られている。集水桝としては、雨水が流入する内部空間を形成する本体部と、該本体部に取り付けられる蓋体部とを備えるものが知られている（特許文献１，２参照）。本体部は、内部空間を上方へ開放する開口部を備え、該開口部を覆うように蓋体部が取り付けられる。また、蓋体部は、雨水が透過するように構成されると共に、該雨水から固形分を分離するように構成される。そして、斯かる集水桝は、蓋体部が地面に露出した状態で該地中に埋設される。これにより、集水桝の設置箇所へ集まる雨水が集水桝の蓋体部を透過して本体部の開口部から内部空間に流入するように構成される。そして、集水桝に流入した雨水が配管を通って所定方向へ排出されるように構成されている。
【先行技術文献】
【特許文献】
【０００３】
【特許文献１】実用新案登録第３１５７３５３号公報
【特許文献２】特開２０１０−０６５５０４号公報
【発明の概要】
【発明が解決しようとする課題】
【０００４】
しかしながら、上記のような排水構造では、集水桝の蓋体部で雨水から分離できなかった固形物（落ち葉、石、泥など）は、集水桝の内部空間に流入し、該内部空間に蓄積されることになる。このように、集水桝の内部空間に固形物が蓄積されると、集水桝から配管への水の流れが滞るだけでなく、集水桝の内部空間の容積が小さくなるため、集水桝で貯留できる水量が減少してしまう。このため、集水桝を定期的に洗浄し、本体部から固形物を取り除く必要がある。また、集水桝の蓋体部で雨水から分離された固形物が蓋体部に堆積し、集水桝の内部空間へ雨水の流入するのを妨げる虞がある。
【０００５】
そこで、本発明は、地面の水が流入する集水空間に固形物が堆積してしまうのを抑制することができる排水構造、及び、該排水構造を備えるベンチを提供することを課題とする。
【課題を解決するための手段】
【０００６】
本発明に係る排水構造は、地面の水が流入して収集される集水空間を形成すると共に該集水空間への水の流入を可能にする流入部を備える集水部材と、地面に形成されて集水部材を収容する収容凹部と、集水部材から離れた位置へ向けて集水空間の水を流通させる流路を形成するべく地中に埋設される流路形成部材と、複数の粒状物を用いて形成されて水が透過するように構成された透水部材とを備えており、集水部材は、収容凹部の内側に配置された状態で、流入部が収容凹部の内側に位置するように構成されており、透水部材は、収容凹部の内面と集水部材の流入部との間に配置される。
【０００７】
斯かる構成によれば、透水部材は、収容凹部の内面と集水部材の流入部との間に配置される。これにより、地面から収容凹部に流入する水は、透水部材を透過して流入部から集水空間へ流入することになる。この際、地面から水と共に収容凹部へ流入する固形物は、透水部材によって水から分離される。このため、流入部から集水空間へ固形物が侵入して堆積するのを抑制することができる。
【０００８】
集水部材は、収容凹部の内側に配置された状態で地面よりも上へ突出する上方突出部を備えており、該上方突出部は、集水空間を上方へ向けて開放する上方開口部を備えることが好ましい。
【０００９】
斯かる構成によれば、集水部材は、収容凹部の内側に配置された状態で地面よりも上へ突出する上方突出部を備える。そして、該上方突出部は、集水空間を上方へ向けて開放する上方開口部を備える。これにより、上方開口部が地面よりも上方に位置するため、上方開口部から集水空間（即ち、集水部材の内側）を容易に視認することができる。このため、集水部材の内側の清掃などの作業を容易に行うことができる。
【００１０】
複数の粒状物を用いて形成されて水が透過するように構成された透水層を地中に形成する透水層形成部材を更に備えており、流路形成部材は、表面から内側へ水が侵入するように構成されており、透水層形成部材の内側に流路形成部材の少なくとも一部が配置されることが好ましい。
【００１１】
斯かる構成によれば、複数の粒状物を用いて形成されて水が透過するように構成された透水層を地中に形成する透水層形成部材を更に備える。また、流路形成部材は、表面から内側へ水が侵入するように構成される。そして、透水層形成部材の内側に流路形成部材が配置される。
【００１２】
これにより、地中に浸透した水の一部を透水層形成部材（即ち、透水層）に保持することができる。具体的には、透水層形成部材は、複数の粒状物を用いて形成されるため、粒状物間に空隙が形成される。これにより、地中に浸透した水の一部が斯かる空隙に貯留されるため、透水層形成部材（即ち、透水層）に水を保持することができる。
【００１３】
また、地中に浸透した水のうち透水層形成部材（即ち、透水層）を透過する水の一部は、流路形成部材（即ち、透水層）の内側に侵入することになる。このため、透水層形成部材（即ち、透水層）を透過する水の一部を流路形成部材によって所定箇所へ流通させることができる。
【００１４】
また、透水層形成部材（即ち、透水層）を透過する水の残部は、透水層形成部材（即ち、透水層）を透過して、透水層形成部材（即ち、透水層）の下方へ排出される。これにより、透水層形成部材に過剰の水が保持されるのを防止することができる。
【００１５】
透水層形成部材は、収容凹部の内側に露出する凹部内配置部を備えており、該凹部内配置部は、透水部材の下方の位置で上下方向において透水部材と重なるように配置されることが好ましい。
【００１６】
斯かる構成によれば、透水層形成部材は、収容凹部の内側に露出する凹部内配置部を備える。また、該凹部内配置部は、透水部材の下方の位置で上下方向において透水部材と重なるように配置される。これにより、透水部材を透過した水の一部は、集水部材の流入部から集水空間へ流入し、透水部材を透過した水の残部は、透水層形成部材の凹部内配置部から透水層形成部材内に浸透する。これにより、収容凹部内においても透水層形成部材（即ち、透水層）から流路形成部材を通した排水と、透水層形成部材（即ち、透水層）から下方への排水とが行われるため、収容凹部内に流入する水の排水をより効率的に行うことができる。
【００１７】
上記何れかの排水構造を備えるベンチであって、収容凹部から上方に離間した位置で収容凹部を覆うように配置される座部材と、該座部材を下方から支える脚部材とを備える。
【００１８】
斯かる構成によれば、収容凹部から上方に離間した位置で収容凹部を覆うように配置される座部材と、該座部材を下方から支える脚部材とを備える。これにより、座部材によって収容凹部内の集水部材や透水部材が視認し難くなる。このため、排水構造が設置される環境の見栄えを向上させることができる。
【００１９】
本発明に係る他の排水構造は、地面に形成されると共に地面の水が流入して収集される集水空間を形成する集水凹部と、該集水凹部から離れた位置へ向けて集水空間の水を流通させる流路を形成するべく地中に埋設される流路形成部材と、複数の粒状物を用いて形成されて水が透過するように構成された透水部材とを備えており、流路形成部材は、集水空間に配置されて集水空間の水を流路形成部材内に導入する収集水導入部を備えており、
透水部材は、収集水導入部よりも上方の位置で集水凹部の内側を埋めるように配置される。
【００２０】
斯かる構成によれば、透水部材は、収集水導入部よりも上方の位置で集水凹部の内側を埋めるように配置される。これにより、地面Ｘから集水凹部に流入する水は、透水部材を透過することになる。この際、地面から水と共に集水凹部へ流入する固形物は、透水部材によって水から分離される。このため、透水部材を交換することで、集水空間に固形物が侵入して堆積するのを容易に抑制することができる。
【発明の効果】
【００２１】
以上のように、本発明によれば、集水空間に固形物が堆積するのを抑制することができる。
【図面の簡単な説明】
【００２２】
【図１】本発明に係る排水構造の第一実施形態の概略を示した断面図。
【図２】同実施形態に係る排水構造を収容凹部の深さ方向から見た図。
【図３】本発明に係るベンチの一実施形態の概略を示した断面図。
【図４】本発明に係る排水構造の第二実施形態の概略を示した断面図。
【発明を実施するための形態】
【００２３】
＜第一実施形態＞
以下、本発明の第一実施形態について、図１〜３を参照しながら説明する。なお、以下の図面において同一または相当する部分には同一の参照符号を付しその説明は繰り返さない。
【００２４】
本発明に係る排水構造１は、図１に示すように、地面Ｘの水（具体的には、雨水等）が流入して収集される集水空間Ｒを形成する集水部材２と、該集水部材２から離れた位置へ向けて集水空間Ｒの水を流通させる流路を形成する流路形成部材３と、集水空間Ｒへ流入する水が透過するように構成された透水部材４とを備える。また、本実施形態では、排水構造１は、水を透過する透水層を地中に形成する透水層形成部材５を更に備える。また、排水構造１は、地面Ｘに形成されて集水部材２を収容する収容凹部６を備える。
【００２５】
集水部材２は、図２に示すように、内側に集水空間Ｒを形成する筒状本体部２ａを備える。また、集水部材２（具体的には、筒状本体部２ａ）は、集水空間Ｒへの水の流入を可能にする流入部２ｂを備える。該流入部２ｂは、筒状本体部２ａを貫通する貫通孔から構成される。本実施形態では、集水部材２は、流入部２ｂを複数（具体的には、筒状本体部２ａの外周に沿って複数）備える。また、集水部材２は、地面Ｘに形成された収容凹部６の内側に配置される。具体的には、集水部材２は、収容凹部６の内側に流入部２ｂが位置するように該収容凹部６の内側に収容される。また、集水部材２は、筒状本体部２ａの軸線が上下方向となるように配置される。また、集水部材２は、収容凹部６の内側に配置された状態で地面Ｘよりも上へ突出する上方突出部２ｃを備える。該上方突出部２ｃは、集水空間Ｒを上方へ向けて開放する上方開口部２ｄを備える。また、集水部材２は、下端部が透水層形成部材５（具体的には、後述する凹部内配置部５ｃ）の内側に配置される。また、集水部材２は、流入部２ｂよりも下方の位置（具体的には、後述する凹部内配置部５ｃの内側）で流路形成部材３の一端部と連結される。これにより、集水空間Ｒ内の水が流路形成部材３へ流出するように構成される。
【００２６】
流路形成部材３は、集水空間Ｒに配置されて集水空間Ｒの水を流路形成部材３内に導入する収集水導入部３ａを備える。具体的には、流路形成部材３は、集水部材２と該集水部材２から離れた位置に設置される集水桝等の他の部材（図示せず）との間に延びる流路を形成するものであって、一端部（水の流通方向の上流側に位置する端部）に収集水導入部３ａを備え、他端部が集水桝等の他の部材（図示せず）に連結される。また、流路形成部材３は、表面（好ましくは、外周面の略全域）から内側へ水が侵入するように構成される。このような流路形成部材３としては、例えば、Ｓ字状又はＣ字状の断面形状を有する棒状部材が複数本束になって形成されたトレンチ管（具体的には、東邦レオ社製  ネドメトレンチ等）を用いることができる。このような流路形成部材３には、外周面から内部へ連通する（換言すれば、内側と外側とを連通させる）間隙が形成される。これにより、流路形成部材３は、表面（好ましくは、外周面の略全域）から間隙を通って内側へ水が侵入するように構成される。そして、流路形成部材３の内側に侵入した水は、流路形成部材３を構成する各棒状部材の凹状の部分を通って集水桝等の他の部材（図示せず）へ向けて流通する。また、流路形成部材３は、地中に埋設される。また、流路形成部材３は、少なくとも一部（好ましくは、両端部以外の略全域）が透水層形成部材５の内側に配置される。
【００２７】
透水部材４は、収容凹部６の内側に配置される。具体的には、透水部材４は、収容凹部６の内面と集水部材２の流入部２ｂとの間に（具体的には、流入部２ｂを覆うように）配置される。本実施形態では、透水部材４は、図２に示すように、集水部材２（具体的には、筒状本体部２ａ）の周囲を囲むように複数配置される。
【００２８】
透水部材４は、飽和透水係数が１．０×１０−５ｍ／ｓ以上であることが好ましく、１．０×１０−４ｍ／ｓ以上であることがより好ましい。また、透水部材４は、空隙率が３０％以上であることが好ましい。また、透水部材４は、複数の粒状物４ａと、該粒状物４ａを収容する袋状体（具体的には、水が透過するように構成された袋状体）４ｂとを備える。粒状物４ａとしては、特に限定されるものではなく、例えば、砕石や火山砂利などの建設資材に用いる天然素材、また建設リサイクル材を破砕したもの等を用いることができるが、黒曜石パーライトを用いることが好ましい。黒曜石パーライトは、透水性が非常に高く、空隙率も非常に高いものである。また、黒曜石パーライトは、粒子の表面の凹凸がかみ合うとこで粒子同士が相対的に移動し難くなり、粒子の流出が抑制される。更に、黒曜石パーライトは、所謂、独立気泡体であるため、土壌が詰まりにくい構造になる。上記のような透水部材４としては、例えば、ＤＯパイプ（東邦レオ社製）等を用いることができる。
【００２９】
図１に戻り、透水層形成部材５は、地中に埋設れた状態で収容凹部６の内側に配置される凹部内配置部５ｃを備える。該凹部内配置部５ｃは、集水部材２（具体的には、筒状本体部２ａ）の周囲を囲むように配置される。具体的には、凹部内配置部５ｃにおいて集水部材２（具体的には、筒状本体部２ａ）の下端部が透水層形成部材５の内側に配置されることで、集水部材２（具体的には、筒状本体部２ａ）の周囲に凹部内配置部５ｃが配置される。また、凹部内配置部５ｃは、透水部材４の下方の位置で上下方向において透水部材４と重なるように配置される。また、透水層形成部材５の内側には、流路形成部材３の少なくとも一部（好ましくは、両端部以外の略全域）が配置される。
【００３０】
透水層形成部材５は、複数の粒状物５ａと、該粒状物５ａを収容する袋状体（具体的には、水を透過する袋状体）５ｂとを備える。透水層形成部材５を構成する粒状物５ａとしては、特に限定されるものではなく、例えば、砕石や火山砂利などの建設資材に用いる天然素材、また建設リサイクル材を破砕して粒度を調整したもの等を用いることができる。また、透水層形成部材５は、設計ＣＢＲ試験（ＪＩＳ  Ａ  １２１１「ＣＢＲ試験方法」）の強度が３以上であることが好ましい。また、透水層形成部材５は、飽和透水係数が１．０×１０−５ｍ／ｓ以上であることが好ましい。また、透水層形成部材５は、目詰まりしにくい構造であることが好ましく、例えば、空隙率が３０％以上であることが好ましい。具体的には、透水層形成部材５としては、例えば、Ｊ・ミックス（東邦レオ社製）等を用いることができる。
【００３１】
上記のように構成される排水構造１は、図３に示すように、人が座ることができるベンチ１０の一部として用いることができる。具体的には、ベンチ１０は、人が座ることができる板状の座部材１０ａと、該座部材１０ａを下方から支える脚部材１０ｂとを備える。座部材１０ａは、収容凹部６から上方に離間した位置に配置されると共に、収容凹部６を覆う（具体的には、座部材１０ａの下方投影領域に収容凹部６の全体が位置する）ように配置される。これにより、座部材１０ａの下方（具体的には、下方投影領域）には、集水部材２（具体的には、筒状本体部２ａ）が位置する。
【００３２】
脚部材１０ｂは、収容凹部６の開口部に沿って（具体的には、開口部の全周に亘って）形成される。また、脚部材１０ｂは、集水部材２（具体的には、筒状本体部２ａ）の上方突出部２ｃを囲むように形成される。また、脚部材１０ｂは、複数の棒状部材が格子状に配置されることで形成される。つまり、脚部材１０ｂので囲まれた空間（即ち、集水部材２の上方突出部２ｃが配置される空間）は、脚部材１０ｂを構成する複数の棒状部材の間から外側へ連通するように構成される。これにより、脚部材１０ｂを構成する複数の棒状部材の間を通って地面Ｘの水を収容凹部６へ流入させることが可能になる。
【００３３】
また、脚部材１０ｂで囲まれた空間（具体的には、集水部材２の上方突出部２ｃと脚部材１０ｂとの間の空間）には、砕石等（図示せず）を収容することができる。具体的には、脚部材１０ｂで囲まれた空間（具体的には、集水部材２と脚部材１０ｂとの間の空間）に砕石等を複数収容することで、集水部材２の上方突出部２ｃをベンチ１０の外側から視認できないように構成することができるため、ベンチ１０の意匠性を向上させることができる。
【００３４】
以上のように、本願実施形態に係る排水構造、又は、ベンチは、集水空間に固形物が堆積するのを抑制することができる。
【００３５】
即ち、透水部材４は、収容凹部６の内面と集水部材２の流入部２ｂとの間に配置される。これにより、地面Ｘから収容凹部６に流入する水は、透水部材４を透過して流入部２ｂから集水空間Ｒへ流入することになる。この際、地面Ｘから水と共に収容凹部６へ流入する固形物は、透水部材４によって水から分離される。このため、流入部２ｂから集水空間Ｒへ固形物が侵入して堆積するのを防止することができる。
【００３６】
また、集水部材２は、収容凹部６の内側に配置された状態で地面Ｘよりも上へ突出する上方突出部２ｃを備える。そして、該上方突出部２ｃは、集水空間Ｒを上方へ向けて開放する上方開口部２ｄを備える。これにより、上方開口部２ｄが地面Ｘよりも上方に位置するため、上方開口部２ｄから集水空間Ｒ（即ち、集水部材２の内側）を容易に視認することができる。このため、集水部材２の内側の清掃などの作業を容易に行うことができる。
【００３７】
また、複数の粒状物５ａを用いて形成されて水が透過するように構成された透水層を地中に形成する透水層形成部材５を更に備える。また、流路形成部材３は、表面から内側へ水が侵入するように構成される。そして、透水層形成部材５の内側に流路形成部材３が配置される。
【００３８】
これにより、地中に浸透した水の一部を透水層形成部材５（即ち、透水層）に保持することができる。具体的には、透水層形成部材５は、複数の粒状物５ａを用いて形成されるため、粒状物５ａ間に空隙が形成される。これにより、地中に浸透した水の一部が斯かる空隙に貯留されるため、透水層形成部材５（即ち、透水層）に水を保持することができる。
【００３９】
また、地中に浸透した水のうち透水層形成部材５（即ち、透水層）を透過する水の一部は、流路形成部材３（即ち、透水層）の内側に侵入することになる。このため、透水層形成部材５（即ち、透水層）を透過する水の一部を流路形成部材３によって所定箇所へ流通させることができる。
【００４０】
また、透水層形成部材５（即ち、透水層）を透過する水の残部は、透水層形成部材５（即ち、透水層）を透過して、透水層形成部材５（即ち、透水層）の下方へ排出される。これにより、透水層形成部材５に過剰の水が保持されるのを防止することができる。
【００４１】
また、透水層形成部材５は、収容凹部６の内側に露出する凹部内配置部５ｃを備える。また、該凹部内配置部５ｃは、透水部材４の下方の位置で上下方向において透水部材４と重なるように配置される。これにより、透水部材４を透過した水の一部は、集水部材２の流入部２ｂから集水空間Ｒへ流入し、透水部材４を透過した水の残部は、透水層形成部材５の凹部内配置部５ｃから透水層形成部材５内に浸透する。これにより、収容凹部６内においても透水層形成部材５（即ち、透水層）から流路形成部材３を通した排水と、透水層形成部材５（即ち、透水層）から下方への排水とが行われるため、収容凹部６内に流入する水の排水をより効率的に行うことができる。
【００４２】
また、収容凹部６から上方に離間した位置で収容凹部６を覆うように配置される座部材１０ａと、該座部材１０ａを下方から支える脚部材１０ｂとを備える。これにより、座部材１０ａによって収容凹部６内の集水部材２や透水部材４が視認し難くなる。このため、排水構造１が設置される環境の見栄えを向上させることができる。
【００４３】
＜第二実施形態＞
次に、本発明の第二実施形態について、図４を用いて説明する。第二実施形態に係る排水構造２０は、第一実施形態に係る排水構造１と比較すると、主に、集水部材２を備えていない点で異なる。従って、以下では、第一実施形態と異なる点を中心に説明し、同一の構成に対しては同一の符号を付すこととして説明を省略する。
【００４４】
排水構造２０は、地面Ｘに形成されると共に地面Ｘの水が流入して収集される集水空間Ｒを形成する集水凹部６０を備える。流路形成部材３は、集水凹部６０から離れた位置へ向けて集水空間Ｒの水を流通させる流路を形成するように構成される。また、流路形成部材３の収集水導入部３ａは、集水凹部６０の内側に配置されて集水凹部６０に流入した水を流路形成部材３内に導入するように構成される。
【００４５】
透水部材４は、収集水導入部３ａよりも上方の位置で集水凹部６０の内側を埋めるように配置される。具体的には、透水部材４は、集水凹部６０の内側において、透水層形成部材５の凹部内配置部５ｃの上に複数配置される（敷き詰められる）ことで、集水凹部６０の内側を埋めるように構成される。
【００４６】
以上のように、本願実施形態に係る排水構造は、集水凹部６０内の集水空間Ｒに固形物が侵入して堆積するのを抑制することができる。
【００４７】
即ち、透水部材４は、収集水導入部３ａよりも上方の位置で集水凹部６０の内側を埋めるように配置される。これにより、地面Ｘから集水凹部６０に流入する水は、透水部材４を透過することになる。この際、地面Ｘから水と共に集水凹部６０へ流入する固形物は、透水部材４によって水から分離される。このため、透水部材４を交換することで、集水凹部６０に固形物が侵入して堆積するのを容易に抑制することができる。また、地面Ｘから水と共に集水凹部６０へ流入する固形物は、透水部材４によって水から分離されるため、集水凹部６０内において透水層形成部材５（具体的には、凹部内配置部５ｃ）が目詰まりしてしまうのを抑制することができる。
【００４８】
なお、本発明に係る排水構造、又は、ベンチは、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、他の各種の変更例に係る構成や方法等を任意に選択して、上記した実施形態に係る構成や方法等に採用してもよいことは勿論である。
【００４９】
例えば、上記実施形態では、排水構造１は、透水層形成部材５を備えているが、これに限定されるものではなく、例えば、透水層形成部材５を備えない排水構造であってもよい。斯かる場合には、流路形成部材３を流通する水は、集水部材２からのみ供給されるように構成される。
【００５０】
また、上記実施形態では、透水部材４は、集水部材２の流入部２ｂを覆うように配置されているが、これに限定されるものではなく、例えば、流入部２ｂから上方に離間した位置に透水部材４が配置されてもよい。斯かる構成によれば、透水部材４を透過した水は、透水部材４から下方へ流れて流入部２ｂから集水空間Ｒへ侵入するように構成される。
【００５１】
また、上記実施形態では、集水部材２の流入部２ｂは、貫通孔から構成されているが、これに限定されるものではなく、例えば、編み目状に形成されてもよく、貫通孔にフィルター材が設置されて形成されてもよい。
【００５２】
また、上記実施形態では、流路形成部材３は、複数の棒状部材が纏まることで形成されているが、これに限定されるものではなく、例えば、一般的な浸透トレンチ管（例えば、複数の粒状物が一体的に成形されて管状に形成されたものや、塩ビ管等の管状物に複数の貫通孔が形成されたもの）であってもよい。
【符号の説明】
【００５３】
１…排水構造、２０…排水構造、２…集水部材、２ａ…筒状本体部、２ｂ…流入部、２ｃ…上方突出部、２ｄ…上方開口部、３…流路形成部材、３ａ…収集水導入部、４…透水部材、４ａ…粒状物、４ｂ…袋状体、５…透水層形成部材、５ａ…粒状物、５ｂ…袋状体、５ｃ…凹部内配置部、１０…ベンチ、１０ａ…座部材、１０ｂ…脚部材、Ｒ…集水空間、Ｘ…地面、Ｘ１…収容凹部
【図１】
2019094638.tif 000003
【図２】
2019094638.tif 000004
【図３】
2019094638.tif 000005
【図４】
2019094638.tif 000006
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
地面の水が流入して収集される集水空間を形成すると共に該集水空間への水の流入を可能にする流入部を備える集水部材と、地面に形成されて集水部材を収容する収容凹部と、集水部材から離れた位置へ向けて集水空間の水を流通させる流路を形成するべく地中に埋設される流路形成部材と、複数の粒状物を用いて形成されて水が透過するように構成された透水部材とを備えており、
集水部材は、収容凹部の内側に配置された状態で、地面よりも上へ突出する上方突出部を備えると共に、流入部が収容凹部の内側に位置するように構成されており、
上方突出部は、集水空間を上方へ向けて開放する上方開口部を備えており、
透水部材は、収容凹部の内面と集水部材の流入部との間に配置される排水構造。
【請求項２】
地面の水が流入して収集される集水空間を形成すると共に該集水空間への水の流入を可能にする流入部を備える集水部材と、地面に形成されて集水部材を収容する収容凹部と、集水部材から離れた位置へ向けて集水空間の水を流通させる流路を形成するべく地中に埋設される流路形成部材と、複数の粒状物を用いて形成されて水が透過するように構成された透水部材と、複数の粒状物を用いて形成されて水が透過するように構成された透水層を地中に形成する透水層形成部材とを備えており、
集水部材は、収容凹部の内側に配置された状態で、流入部が収容凹部の内側に位置するように構成されており、
透水部材は、収容凹部の内面と集水部材の流入部との間に配置されており、
流路形成部材は、表面から内側へ水が侵入するように構成されており、
透水層形成部材の内側に流路形成部材の少なくとも一部が配置される排水構造。
【請求項３】
透水層形成部材は、収容凹部の内側に露出する凹部内配置部を備えており、
該凹部内配置部は、透水部材の下方の位置で上下方向において透水部材と重なるように配置される請求項２に記載の排水構造。
【請求項４】
請求項１乃至３の何れか一項に記載の排水構造を備えるベンチであって、
収容凹部から上方に離間した位置で収容凹部を覆うように配置される座部材と、該座部材を下方から支える脚部材とを備えるベンチ。
【手続補正２】
【補正対象書類名】明細書
【補正対象項目名】０００８
【補正方法】変更
【補正の内容】
【０００８】
集水部材は、収容凹部の内側に配置された状態で地面よりも上へ突出する上方突出部を備えており、該上方突出部は、集水空間を上方へ向けて開放する上方開口部を備える。
【手続補正３】
【補正対象書類名】明細書
【補正対象項目名】００１０
【補正方法】変更
【補正の内容】
【００１０】
本発明に係る他の排水構造は、地面の水が流入して収集される集水空間を形成すると共に該集水空間への水の流入を可能にする流入部を備える集水部材と、地面に形成されて集水部材を収容する収容凹部と、集水部材から離れた位置へ向けて集水空間の水を流通させる流路を形成するべく地中に埋設される流路形成部材と、複数の粒状物を用いて形成されて水が透過するように構成された透水部材と、複数の粒状物を用いて形成されて水が透過するように構成された透水層を地中に形成する透水層形成部材とを備えており、集水部材は、収容凹部の内側に配置された状態で、流入部が収容凹部の内側に位置するように構成されており、透水部材は、収容凹部の内面と集水部材の流入部との間に配置されており、流路形成部材は、表面から内側へ水が侵入するように構成されており、透水層形成部材の内側に流路形成部材の少なくとも一部が配置される。